【手続補正書】
【提出日】平成18年8月4日(2006.8.4)
【手続補正１】
【補正対象書類名】特許請求の範囲
【補正対象項目名】全文
【補正方法】変更
【補正の内容】
【特許請求の範囲】
【請求項１】
細胞送達の方法であって、該方法は、以下：
少なくとも１個の単離された細胞を提供する工程；
側孔を備える針を提供する工程；
該針を介して器官に該細胞を注射する工程
を包含する、方法。
【請求項２】
前記注射部位を封鎖する工程をさらに包含する、請求項１に記載の方法。
【請求項３】
前記注射部位がシアノアクリレート組織接着剤またはフィブリン封止剤で封鎖される、請求項２に記載の方法。
【請求項４】
前記注射部位がフィルムで封鎖される、請求項２に記載の方法。
【請求項５】
前記フィルムがセプラフィルムである、請求項４に記載の方法。
【請求項６】
前記細胞が、注射部位での細胞の保持を補助するキャリアとともに提供される、請求項１に記載の方法。
【請求項７】
前記キャリアが、細胞外マトリックスタンパク質、エラスチン、コラーゲン、ゼラチン、フィブリン、メチルセルロース、アガロース、ヒアルロン酸およびアルギン酸塩からなる群から選択される、請求項１に記載の方法。
【請求項８】
前記細胞が筋細胞である、請求項１に記載の細胞送達の方法。
【請求項９】
前記細胞が筋芽細胞である、請求項１に記載の細胞送達の方法。
【請求項１０】
前記細胞が骨格筋細胞である、請求項１に記載の細胞送達の方法。
【請求項１１】
前記細胞が骨格筋芽細胞である、請求項１に記載の細胞送達の方法。
【請求項１２】
前記細胞が心筋細胞である、請求項１に記載の細胞送達の方法。
【請求項１３】
前記細胞が幹細胞である、請求項１に記載の細胞送達の方法。
【請求項１４】
前記細胞が幹細胞に由来する、請求項１に記載の細胞送達の方法。
【請求項１５】
前記細胞が神経細胞である、請求項１に記載の細胞送達の方法。
【請求項１６】
前記細胞がランゲルハンス島細胞である、請求項１に記載の細胞送達の方法。
【請求項１７】
前記細胞が肝細胞である、請求項１に記載の細胞送達の方法。
【請求項１８】
前記細胞が腎細胞である、請求項１に記載の細胞送達の方法。
【請求項１９】
前記細胞が膵細胞である、請求項１に記載の細胞送達の方法。
【請求項２０】
前記細胞が、レシピエントにおける移植の際に、Ｔリンパ球媒介応答を誘導し得る細胞表面抗原を遮蔽するために改変されている、請求項１に記載の細胞送達の方法。
【請求項２１】
前記細胞表面抗原がＭＨＣ分子である、請求項２０に記載の細胞送達の方法。
【請求項２２】
前記ＭＨＣ分子がＭＨＣクラスＩ分子である、請求項２１に記載の細胞送達の方法。
【請求項２３】
前記細胞表面抗原が抗体または抗体のフラグメントで遮蔽される、請求項２０に記載の細胞送達の方法。
【請求項２４】
前記細胞表面抗原が抗体のＦ（ａｂ’）２フラグメントで遮蔽される、請求項２０に記載の細胞送達の方法。
【請求項２５】
前記細胞表面抗原が可溶性Ｔ細胞レセプタータンパク質フラグメントで遮蔽される、請求項２０に記載の細胞送達の方法。
【請求項２６】
前記器官が心臓である、請求項１に記載の細胞送達の方法。
【請求項２７】
前記細胞が心臓の心筋に注射される、請求項１に記載の細胞送達の方法。
【請求項２８】
前記器官が固形器官である、請求項１に記載の方法。
【請求項２９】
前記器官が、脳、肝臓、心臓、膵臓、脾臓、腎臓、甲状腺、前立腺および骨格筋からなる群から選択される、請求項１に記載の細胞送達の方法。
【請求項３０】
前記針が１より多い側部放出孔を有する、請求項１に記載の細胞送達の方法。
【請求項３１】
前記針が閉鎖された末端を有する、請求項１に記載の細胞送達の方法。
【請求項３２】
前記針がＷｈｉｔａｃｒｅ針である、請求項１に記載の細胞送達の方法。
【請求項３３】
前記針が２５ゲージＷｈｉｔａｃｒｅ針である、請求項１に記載の細胞送達の方法。
【請求項３４】
前記針が３ １／２インチ、２５ゲージＷｈｉｔａｃｒｅ針である、請求項１に記載の細胞送達の方法。
【請求項３５】
前記針が２５ゲージ針である、請求項１に記載の細胞送達の方法。
【請求項３６】
前記針が２０と２５との間のゲージである、請求項１に記載の細胞送達の方法。
【請求項３７】
前記注射が経皮的ではないように、手術の間に実施される、請求項１に記載の細胞送達の方法。
【請求項３８】
心臓組織に対する損傷により特徴付けられる状態を処置する方法であって、該方法は、以下：
損傷により特徴付けられる状態を被った患者に、心臓組織を提供する工程；
骨格筋細胞を提供する工程；
側部放出針を提供する工程；および
前記心臓状態を処置するために、該針を使用して、損傷を受けた心臓組織に該細胞を注射する工程
を包含する、方法。
【請求項３９】
前記骨格筋細胞を提供する工程が、骨格筋細胞および繊維芽細胞の混合物を提供する工程を包含する、請求項３８に記載の方法。
【請求項４０】
固形組織に薬剤を送達する方法であって、該方法は、以下：
薬剤を提供する工程；
側孔を備える針を提供する工程；および
固形組織に、該針を介して該薬剤を注射する工程
を包含する、方法。
【請求項４１】
前記薬剤が薬物である、請求項４０に記載の方法。
【請求項４２】
前記薬剤が低分子である、請求項４０に記載の方法。
【請求項４３】
前記薬剤がタンパク質である、請求項４０に記載の方法。
【請求項４４】
前記薬剤がペプチドである、請求項４０に記載の方法。
【請求項４５】
前記薬剤がポリヌクレオチドである、請求項４０に記載の方法。
【請求項４６】
前記薬剤がウイルスである、請求項４０に記載の方法。
【請求項４７】
前記ウイルスのゲノムが改変されている、請求項４６に記載の方法。
【請求項４８】
前記組織が新生物の増殖物である、請求項４０に記載の方法。
【請求項４９】
前記組織が悪性腫瘍である、請求項４０に記載の方法。
【請求項５０】
前記組織が良性腫瘍である、請求項４０に記載の方法。
【請求項５１】
細胞送達の方法であって、該方法は、以下：
少なくとも１つの単離された細胞を提供する工程；
側孔を備える針を提供する工程；
少なくとも１インチの深さで、器官に該針を介して該細胞を注射する工程；および
除去の前に、少なくとも３０秒間、前記注射部位に該針を残存させることを可能にする工程
を包含する、方法。
【請求項５２】
前記細胞が、注射部位での細胞の保持を補助するキャリアとともに提供される、請求項５１に記載の方法。
【請求項５３】
前記キャリアが、細胞外マトリックスタンパク質、エラスチン、コラーゲン、ゼラチン、フィブリン、メチルセルロース、アガロース、アルギン酸塩およびヒアルロン酸からなる群から選択される、請求項５２に記載の方法。
【請求項５４】
前記注射部位を、組織接着剤または組織フィルムで封鎖する工程をさらに包含する、請求項５１に記載の方法。
【請求項５５】
閉鎖された末端および側部開口部を備える針、ならびにレシピエントへの移植のための少なくとも１つの細胞を含む、キット。
【請求項５６】
前記針が無菌であり、そして前記キットがその無菌性を維持するために包装される、請求項５５に記載のキット。
【請求項５７】
少なくとも１つの細胞がキャリア中で提供される、請求項５５に記載のキット。
【請求項５８】
前記キャリアが、細胞外マトリックスタンパク質、エラスチン、コラーゲン、ゼラチン、フィブリン、メチルセルロース、アガロース、アルギン酸塩およびヒアルロン酸からなる群から選択される、請求項５７に記載のキット。
【請求項５９】
組織接着剤をさらに含む、請求項５５に記載のキット。
【請求項６０】
封鎖フィルムをさらに含む、請求項５５に記載のキット。
【請求項６１】
フィブリン封止剤をさらに含む、請求項５５に記載のキット。
【請求項６２】
損傷した心臓組織を有する哺乳動物を処置する方法であって、
少なくとも約１億個の骨格筋芽細胞を含む組成物を前記哺乳動物の心臓に送達する工程を含んでなることを特徴とする方法。
【請求項６３】
前記組成物が、側孔を備えた針を介した注射によって前記心臓に送達されることを特徴とする請求項６２に記載の方法。
【請求項６４】
前記組成物が、複数注射によって前記心臓の複数位置に送達されることを特徴とする請求項６３に記載の方法。
【請求項６５】
前記組成物が、注射部位での細胞の保持を補助するキャリアを更に含んでなることを特徴とする請求項６３に記載の方法。
【請求項６６】
前記キャリアが、細胞外マトリックスタンパク質、エラスチン、コラーゲン、ゼラチン、フィブリン、メチルセルロース、アガロース、ヒアルロン酸、アルギン酸塩、及び、これらの組合せからなる群から選択されることを特徴とする請求項６５に記載の方法。
【請求項６７】
前記針が約２５〜約２６のゲージを備え、約５／８インチ（１．５８ｃｍ）から約３．５インチ（８．８９ｃｍ）の範囲の長さであることを特徴とする請求項６３に記載の方法。
【請求項６８】
前記針がＷｈｉｔａｃｒｅ針であることを特徴とする請求項６７に記載の方法。
【請求項６９】
前記組成物が繊維芽細胞を更に含んでなることを特徴とする請求項６２に記載の方法。
【請求項７０】
前記損傷した心臓組織が心筋梗塞に起因していることを特徴とする請求項６２に記載の方法。
【請求項７１】
前記哺乳動物が人間であることを特徴とする請求項６２に記載の方法。
【請求項７２】
哺乳動物におけるうっ血性心不全を処置する方法であって、
少なくとも約１億個の骨格筋芽細胞を含む組成物を前記哺乳動物の心臓に送達する工程を含んでなることを特徴とする方法。
【請求項７３】
前記組成物が、側孔を備えた針を介した注射によって前記心臓に送達されることを特徴とする請求項７２に記載の方法。
【請求項７４】
前記組成物が、複数注射によって前記心臓の複数位置に送達されることを特徴とする請求項７３に記載の方法。
【請求項７５】
前記組成物が、注射部位での細胞の保持を補助するキャリアを更に含んでなることを特徴とする請求項７３に記載の方法。
【請求項７６】
前記キャリアが、細胞外マトリックスタンパク質、エラスチン、コラーゲン、ゼラチン、フィブリン、メチルセルロース、アガロース、ヒアルロン酸、アルギン酸塩、及び、これらの組合せからなる群から選択されることを特徴とする請求項７５に記載の方法。
【請求項７７】
前記針が約２５〜約２６のゲージを備え、約５／８インチ（１．５８ｃｍ）から約３．５インチ（８．８９ｃｍ）の範囲の長さであることを特徴とする請求項７３に記載の方法。
【請求項７８】
前記針がＷｈｉｔａｃｒｅ針であることを特徴とする請求項７７に記載の方法。
【請求項７９】
前記組成物が繊維芽細胞を更に含んでなることを特徴とする請求項７２に記載の方法。
【請求項８０】
前記哺乳動物が人間であることを特徴とする請求項７２に記載の方法。